(57)【要約】【課題】検出された脳波情報に基づいて、集中力関連信号を送信することで、関連する技術分野に応用できる対話型システム、及びその表示装置と脳波検出装置を提供することにある。【解決手段】本発明に係る対話型システムは、脳波検出装置及び表示装置を備える。脳波検出装置はユーザの脳波情報を測定すると同時に、脳波情報に基づいて、集中力関連信号を送信する。表示装置は第１表示エリアを有し、第１表示エリアは複数のパターンを表示する。表示装置は集中力関連信号を受信し、且つ集中力関連信号に基づいて、複数のパターンのうちの少なくとも１つのパターンの表示時間の長さを決定する。【選択図】図１
2016168318.tif 000002
【特許請求の範囲】
【請求項１】
ユーザの脳波情報を測定すると同時に、前記脳波情報に基づいて、集中力関連信号を送信する脳波検出装置と、
第１表示エリアを有する表示装置とを備え、
前記第１表示エリアは複数のパターンを表示し、前記表示装置は前記集中力関連信号を受信し、且つ前記集中力関連信号に基づいて、前記複数のパターンのうちの少なくとも１つのパターンの表示時間の長さを決定することを特徴とする対話型システム。
【請求項２】
第１状態にある時、脳波検出装置と合わせて使用し、前記脳波検出装置はユーザの脳波情報を測定すると同時に、前記脳波情報に基づいて、集中力関連信号を送信する表示装置であって、
前記表示装置の第１表面に配置され、複数のパターンを表示する第１表示エリアを備え、
前記表示装置は前記集中力関連信号を受信し、且つ前記集中力関連信号に基づいて、前記複数のパターンのうちの少なくとも１つのパターンの表示時間の長さを決定することを特徴とする表示装置。
【請求項３】
電子装置と合わせて使用し、前記電子装置を介して前記集中力関連信号を受信することを特徴とする請求項２に記載の表示装置。
【請求項４】
電子装置と合わせて使用し、前記電子装置から実行信号を送信する時、前記表示装置は前記実行信号を受信し、且つ前記実行信号を受信した時に対応する前記パターンを第１対話結果とすることを特徴とする請求項２に記載の表示装置。
【請求項５】
複数のセンサーを有し、前記表示装置は前記集中力関連信号に基づいて、作動させる前記センサーの数を決定する第２表示エリアを更に備えることを特徴とする請求項２に記載の表示装置。
【請求項６】
複数の発光ユニットを有する第２表示エリアを更に備え、
前記集中力関連信号に基づいて、点灯される前記複数の発光ユニットの数を決定し、前記ユーザの集中力が高ければ高いほど、点灯される前記複数の発光ユニットの数は多くなることを特徴とする請求項２に記載の表示装置。
【請求項７】
第２状態にある時、前記第１表示エリアを時針表示エリアとすることで、時針情報を表示し、且つ前記第２表示エリアを分針表示エリアとすることで、分針情報を表示することを特徴とする請求項６に記載の表示装置。
【請求項８】
秒針表示エリアを更に有し、前記秒針表示エリアは前記第２状態にある時に秒針情報を表示することを特徴とする請求項７に記載の表示装置。
【請求項９】
前記秒針表示エリアは前記表示装置の周縁の側壁、または前記表示装置の第２表面に設置され、且つ前記秒針表示エリアは複数の発光ユニットを有し、前記複数の発光ユニットは順に点灯され、前記本体の周縁に向けて光線を射出することで、前記秒針情報を表示させることを特徴とする請求項８に記載の表示装置。
【請求項１０】
電子装置から実行信号を送信する時、前記表示装置は前記実行信号を受信し、且つ前記実行信号を受信した時に対応する点灯された前記複数の発光ユニットの状態を第２対話結果とすることを特徴とする請求項２に記載の表示装置。
【請求項１１】
電子装置及び表示装置と合わせて使用し、前記表示装置は第１表示エリアを有し、前記第１表示エリアは複数のパターンを表示する、脳波検出装置であって、
ユーザの脳波情報を測定すると同時に、前記脳波情報に基づいて、集中力関連信号を送信する検出電極を備え、
前記表示装置は前記集中力関連信号を受信し、且つ前記集中力関連信号に基づいて、前記複数のパターンのうちの少なくとも１つのパターンの表示時間の長さを決定することを特徴とする脳波検出装置。
【発明の詳細な説明】
【技術分野】
【０００１】
本発明は、対話型システム、及びその表示装置と脳波検出装置に関する。
【背景技術】
【０００２】
脳波は脳部の電気活動信号である。通常、脳波は周波数レベルに基づいて、主にα波、β波、θ波、またはδ波などに分けることができる。脳波におけるα波成分の割合が比較的高い場合は、人体が覚醒し、且つ集中力が高い状態にあることを表し、この状態は人々の学習と思考に最適な状態である。脳波におけるβ波成分の割合が比較的高い場合は、人体が緊張し、且つ不安な状態にあることを表し、仮に、人々が長期的にこの状態にある場合、大きなストレスを感じやすく、且つ体内免疫力の低下をもたらす可能性がある。脳波におけるθ波の成分割合が比較的高い場合は、人体が非常にリラックスした状態にあることを表し、この時には、人々は深い記憶を呼び起こすことができる。脳波におけるδ波の成分割合が比較的高い場合は、人体が無意識なスリープ状態にあることを表し、通常、人々が覚醒している時、脳波にはδ波を含まない。
【０００３】
脳波は人体の各生理的及び心理的な状態を反映することができるため、脳波検出装置で人体の脳波を測定することによって、現時点における人体の生理的、または心理的な状態に対応する結果を得ることができる。例えば、脳波を測定することによって、被験者の集中力を判断することで、集中力に関連する後の応用を行うことができる。
【０００４】
現在、脳波情報を検出できる技術が様々あるが、その応用に関しては、特に、集中力に関連する脳波情報の応用は、依然として発展段階にある。
【０００５】
したがって、如何にして、検出された脳波情報に基づいて、集中力関連信号を送信することで、関連する技術分野に応用できる対話型システム、及びその表示装置と脳波検出装置を提供するかが、すでに重要な課題の１つとなっている。
【発明の概要】
【発明が解決しようとする課題】
【０００６】
上記課題に鑑て、本発明は、検出された脳波情報に基づいて、集中力関連信号を送信することで、関連する技術分野に応用できる対話型システム、及びその表示装置と脳波検出装置を提供することを目的とする。
【課題を解決するための手段】
【０００７】
上記目的を達するために、本発明に係る対話型システムは、脳波検出装置及び表示装置を備える。脳波検出装置はユーザの脳波情報を測定すると同時に、脳波情報に基づいて、集中力関連信号を送信する。表示装置は第１表示エリアを有し、第１表示エリアは複数のパターンを表示する。表示装置は集中力関連信号を受信し、且つ集中力関連信号に基づいて、複数のパターンのうちの少なくとも１つのパターンの表示時間の長さを決定する。
【０００８】
一実施例において、対話型システムは電子装置と合わせて使用する。表示装置は電子装置を介して集中力関連信号を受信する。
【０００９】
一実施例において、対話型システムは電子装置と合わせて使用する。電子装置から実行信号を送信する時、表示装置は実行信号を受信し、且つ受信した実行信号に対応する表示パターンを第１対話結果とする。
【００１０】
一実施例において、表示装置は第２表示エリアを更に有する。第２表示エリアは複数のセンサーを有する。表示装置は集中力関連信号に基づいて、作動させるセンサーの数を決定する。
【００１１】
一実施例において、表示装置は第２表示エリアを更に有する。第２表示エリアは複数の発光ユニットを有する。表示装置は集中力関連信号に基づいて、点灯される発光ユニットの数を決定する。ユーザの集中力が高ければ高いほど、点灯される発光ユニットの数は多くなる。
【００１２】
一実施例において、電子装置から実行信号を送信する時、表示装置は実行信号を受信し、且つ受信した実行信号に対応する点灯された発光ユニットの状態を第２対話結果とする。
【００１３】
一実施例において、複数のパターンは第２表示エリアの周りに設けられ、且つこれらのパターンは時計回り、反時計回り、またはランダムの方式で交互に表示する。
【００１４】
一実施例において、ユーザは、電子装置に対して所定操作を実行することによって、実行信号を送信する。
【００１５】
一実施例において、所定操作は、電子装置を振る操作、または電子装置の所定エリアをタッチする操作である。
【００１６】
一実施例において、パターンは数字、またはデザインを備える。
【００１７】
上記目的を達するために、本発明に係る表示装置は脳波検出装置と合わせて使用する。脳波検出装置はユーザの脳波情報を測定すると同時に、脳波情報に基づいて、集中力関連信号を送信する。表示装置は第１表示エリアを有し、第１表示エリアは複数のパターンを表示する。表示装置は集中力関連信号を受信し、且つ集中力関連信号に基づいて、複数のパターンのうちの少なくとも１つのパターンの表示時間の長さを決定する。
【００１８】
一実施例において、表示装置は電子装置と合わせて使用する。表示装置は電子装置を介して集中力関連信号を受信する。
【００１９】
一実施例において、表示装置は電子装置と合わせて使用する。電子装置から実行信号を送信する時、表示装置は実行信号を受信し、且つ受信した実行信号に対応する表示パターンを第１対話結果とする。
【００２０】
一実施例において、表示装置は第２表示エリアを更に有する。第２表示エリアは複数のセンサーを有する。表示装置は集中力関連信号に基づいて、作動させるセンサーの数を決定する。
【００２１】
一実施例において、表示装置は第２表示エリアを更に有する。第２表示エリアは複数の発光ユニットを有する。表示装置は集中力関連信号に基づいて、点灯される発光ユニットの数を決定する。ユーザの集中力が高ければ高いほど、点灯される発光ユニットの数は多くなる。
【００２２】
一実施例において、電子装置から実行信号を送信する時、表示装置は実行信号を受信し、且つ受信した実行信号に対応する点灯された発光ユニットの状態を第２対話結果とする。
【００２３】
一実施例において、複数のパターンは第２表示エリアの周りに設けられ、且つこれらのパターンは時計回り、反時計回り、またはランダムの方式で交互に表示する。
【００２４】
一実施例において、ユーザは、電子装置に対して所定操作を実行することによって、実行信号を送信する。
【００２５】
一実施例において、所定操作は電子装置を振る操作、または電子装置の所定エリアをタッチする操作である。
【００２６】
一実施例において、パターンは数字、またはデザインを備える。
【００２７】
上記目的を達するために、本発明に係る脳波検出装置は電子装置及び表示装置と合わせて使用する。表示装置は第１表示エリアを有し、第１表示エリアは複数のパターンを表示する。脳波検出装置は検出電極を備える。検出電極はユーザの脳波情報を測定すると同時に、脳波情報に基づいて、集中力関連信号を送信する。表示装置は集中力関連信号を受信し、且つ集中力関連信号に基づいて、複数のパターンのうちの少なくとも１つのパターンの表示時間の長さを決定する。
【００２８】
一実施例において、表示装置は電子装置を介して集中力関連信号を受信する。
【００２９】
一実施例において、表示装置は第２表示エリアを更に有する。第２表示エリアは複数のセンサーを有する。表示装置は集中力関連信号に基づいて、作動させるセンサーの数を決定する。
【００３０】
一実施例において、表示装置は第２表示エリアを更に有する。第２表示エリアは複数の発光ユニットを有する。表示装置は集中力関連信号に基づいて、点灯される発光ユニットの数を決定する。ユーザの集中力が高ければ高いほど、点灯される発光ユニットの数は多くなる。
【００３１】
上記目的を達するために、本発明に係る表示装置は本体を備える。本体は１つの表示面を有し、且つ表示面は時針表示エリアと分針表示エリアを有し、時針表示エリアは表示面の中央エリアに位置し、且つ時針情報を表示する。分針表示エリアは時針表示エリアの周りに設けられ、且つ分針情報を表示する。
【００３２】
一実施例において、時針表示エリアと分針表示エリアは重ならない。
【００３３】
一実施例において、時針表示エリアと分針表示エリアは複数の発光ユニットを配置することで、時針情報と分針情報を表示する。
【００３４】
一実施例において、これらの発光ユニットは順に点灯され、時針情報を形成する。
【００３５】
一実施例において、これらの発光ユニットは分針表示エリアに設置され、且つ発光ユニットは順に点灯され、分針情報を形成する。
【００３６】
一実施例において、表示面は本体の第１表面に位置し、時針表示エリアは表示面の中央エリアに位置し、分針表示エリアは本体の周縁に位置する。
【００３７】
一実施例において、本体は秒針表示エリアを更に有することで、秒針情報を表示する。
【００３８】
一実施例において、秒針表示エリアは本体周縁の側壁に設置され、且つ秒針表示エリアは複数の発光素子を有し、これらの発光素子は順に点灯され、本体の周縁に向けて光線を射出することで、秒針情報を表示する。
【００３９】
一実施例において、秒針表示エリアは本体の第２表面に設置され、且つ第２表面と第１表面は対向して設置され、秒針表示エリアは複数の発光素子を有し、これらの発光素子は順に点灯され、本体の辺縁に向けて光線を射出することで、秒針情報を表示する。
【００４０】
一実施例において、表示装置はスイッチを更に備え、このスイッチは本体に設置される。表示装置は、スイッチが導通された後、時針情報と分針情報を表示する。
【発明の効果】
【００４１】
上述より、本発明の対話型システム、及びその表示装置と脳波検出装置において、脳波検出装置はユーザの脳波情報を測定し、且つ脳波情報に基づいて、集中力関連信号を送信する。表示装置は複数のパターンを表示できる第１表示エリアを有するため、集中力関連信号を受信することによって、集中力関連信号の内容を利用して、パターンの表示時間の長さを決定することができる。ユーザはその集中力レベルに基づいて、パターンの表示時間の長さを決定することができ、且つ対話型システムをユーザの脳波情報と対話できるようなゲームシステムとすることが可能である。
【００４２】
本発明は時計として応用する表示装置を更に提供することができ、本体の表示面は時針表示エリアと分針表示エリアに分けられる。時針表示エリアと分針表示エリアはそれぞれ時針情報と分針情報を表示する。このような配置を通して、本発明は簡潔かつ時間情報を読みやすくした時計を提供することができる。
【図面の簡単な説明】
【００４３】
【図１】本発明の好ましい実施例の対話型システムの概略図である。
【図２】図１に示す対話型システムを電子装置と合わせて使用した概略図である。
【図３】図１に示す対話型システムの表示装置が異なる状態にある場合の概略図である。
【図４Ａ】本発明の他の実施例の表示装置の外観概略図である。
【図４Ｂ】本発明の他の実施例の表示装置の外観概略図である。
【図５Ａ】図４Ａに示す表示装置を応用した対話型システムの操作方法の連続操作概略図である。
【図５Ｂ】図４Ａに示す表示装置を応用した対話型システムの操作方法の連続操作概略図である。
【図５Ｃ】図４Ａに示す表示装置を応用した対話型システムの操作方法の連続操作概略図である。
【図５Ｄ】図４Ａに示す表示装置を応用した対話型システムの操作方法の連続操作概略図である。
【図５Ｅ】図４Ａに示す表示装置を応用した対話型システムの操作方法の連続操作概略図である。
【図６】図４Ａに示す表示装置を応用した対話型システムを電子装置と合わせて使用する概略図である。
【図７】本発明の一実施例における時計として応用された表示装置が第１モードにある場合の外観図である。
【図８】本発明の他の実施例における時計として応用された表示装置が第１モードにある場合の外観図である。
【図９】本発明の図８に示した実施例の時計のＡ−Ａ線に沿った断面図である。
【図１０】本発明の他の実施例の時計の、図８に示したのと同様のＡ−Ａ線に沿った断面図である。
【発明を実施するための形態】
【００４４】
以下に、図面を参照しながら本発明の対話型システム、及びその表示装置と脳波検出装置における好適な実施例について説明する。このうち同じ構成要素は同じ符号を付して説明する。
【実施例１】
【００４５】
図１は本発明の好ましい実施例の対話型システムの概略図である。図１に示すように、対話型システムＳは脳波検出装置１と表示装置２を備える。表示装置２は脳波検出装置１からの信号を受信することで、両者間のインタラクションを実現する。
【００４６】
図２は図１に示す対話型システムを電子装置と合わせて使用した概略図である。図１と図２を同時に参照されたい。本実施例の対話型システムＳは電子装置３と合わせて使用し、対話型システムＳの各ユニットは電子装置３と互いに信号を送受信する。本発明は、ここにおいて、電子装置３の種類を制限せず、基本的な演算能力を有する装置であればよい。好ましくは、電子装置３は、手持ち型、携帯型、またはグリップ型のものであり、例えば、携帯、またはタブレットであり、または腕時計やブレスレット、または体積が小さく且つ着用しやすいリングなどの着用型電子装置である。本実施例の電子装置３はスマートフォンを例として説明を行う。実際に応用する時、ユーザは電子装置３を操作することによって、対話型システムＳとのインタラクションを実現し、且つ好ましくは、電子装置３と合わせて使用した対話型システムＳをゲームの対話型システムとして応用することができる。
【００４７】
同様に、図１を参照されたい。脳波検出装置１は検出電極１１を備える。本発明は、ここでは、検出電極１１の設置位置を制限せず、脳波検出装置１における任意の所に位置することができ、好ましくは、本実施例の如く、ユーザが脳波検出装置１を装着する時に、ユーザの顔面の一側に位置するように検出電極１１を設置させる。検出電極１１は、ユーザの脳波情報を測定するために用いられ、且つ好ましくは、前記検出電極１１を装着したユーザの脳波情報を測定する。脳波情報を受信した後、検出電極１１は脳波情報に基づいて集中力関連信号を送信することができる。ここの「集中力関連信号」については、ユーザが異なる時点での集中力が異なるため、これに対応して発生する脳波情報（即ち、脳波Brain wave）も異なる周波数と波形を有し、検出電極１１は、異なる集中力レベルで発生する脳波情報を異なる集中力関連信号に対応させて変換することで、本実施例の対話型システムに後述の応用を行わせる。
【００４８】
本実施例において、表示装置２は円盤状であるが、本発明はこれに限定されない。表示装置２の外形は、長方形、または楕円形などの任意の他の形状であることができる。表示装置２は表示面２０を有し、表示面２０は第１表示エリア２１を有し、第１表示エリア２１は複数のパターン（patterns）２１１を表示する。第１表示エリア２１の分布エリアは、ここにおいては限定せず、本実施例の第１表示エリア２１はこれらのパターン２１１が分布されるエリアによって定義され、本発明は、ここにおいて、パターン２１１の表示面２０での分布位置を制限しない。
【００４９】
次に、第１表示エリア２１の詳細特徴を更に説明する。図３は図１に示す対話型システムの表示装置が異なる状態にある場合の概略図であり、図１と図３を同時に参考されたい。本実施例において、パターン２１１は互いに異なる数字であるが、本発明は、これを制限しない。これらパターン２１１は少なくとも一部分が異なる数字であるが、実際の応用時は数字とは限らない。例えば、これらのパターン２１１を、互いに異なるデザインとすることもできる。
【００５０】
これらのパターン２１１は、複数のピクセル、または複数の発光ダイオードにより構成することで、パターン２１１を光らせて内容を表示する。第１表示エリア２１はフラットパネルディスプレイによって実現し、第１表示エリア２１は複数のピクセルを有することができる。これらの実施例において、フラットパネルディスプレイは液晶ディスプレイ、有機発光ダイオードディスプレイ、電子ペーパーなどであるが、本発明は、これを制限しない。また、これらパターン２１１は、第１表示エリア２１において、時計回り、反時計回り、またはランダムの方式によって、交互に表示することができ、または、同じ時間において、複数のパターン２１１を同時に表示することもでき、本実施例は、これを制限しない。
【００５１】
上記より、本実施例は対話型システムＳをもって、ゲームに応用される対話型システムを例として説明し、ユーザは電子装置３を操作することによってゲームをすることができる。例えば、電子装置３をコントローラ、またはリモートコントローラとすると同時に、表示装置２を電子表示パネルとする。表示装置２が特定の時間において、複数のパターン２１１のうちの少なくとも１つを表示する時、ユーザは電子装置３を操作して制御することで、対応する前記パターン２１１に含まれる対話結果を得ることができる。本実施例の対話型システムＳの実際の操作方式については、次の実施例で説明するため、ここでは重複して述べない。
【実施例２】
【００５２】
図４Ａと図４Ｂを参照されたい。図４Ａと図４Ｂは本発明の他の実施例の表示装置の外観概略図である。図４Ａと図４Ｂに示す表示装置２ａは第１表示エリア２１以外に、第２表示エリア２２を更に備える。第１表示エリア２１と第２表示エリア２２は共に表示装置２ａの表示面２０上に位置し、且つ互いに重ならない。本実施例において、第１表示エリア２１は第２表示エリア２２の周りに設置されるが、本発明はこれを制限しない。その他の実施例において、第１表示エリア２１と第２表示エリア２２の位置は、互いに変えることができ、またはその他の方式で排列することができる。
【００５３】
本実施例において、第２表示エリア２２は複数の発光ユニット２２１を有し、これらの発光ユニット２２１は少なくとも１つのピクセル、または少なくとも１つの発光ダイオードを備える。表示装置２ａは集中力に関連する信号に基づいて、これらの発光ユニット２２１が点灯される数を決定する。第２表示エリア２２の各発光ユニット２２１の発光数量と発光メカニズムについては次の対話型システムの実施方式で説明するため、ここでは重複して述べない。
【００５４】
対話型システムの各構成要素及びその実際的な作用方式の詳細を更に明確するために、以下、本発明の対話型システムの操作方法を対話型システムの構成要素に合わせて具体的に説明する。しかしながら、特に説明すべきことは、下記実施例は例示的なものであって、限定するためのものではない。表示装置２ａ以外に、本実施例に応用される脳波検出装置は対話型システムＳの脳波検出装置１と同一のものであるため、図１の詳細を参照することができる。
【００５５】
まず、説明すべきことは、電子装置３は予めソフトウェア、またはファームウェア内にアプリケーションを内蔵し、ユーザはこのアプリケーションによって、異なる操作を実行することができる。
【００５６】
図５Ａから図５Ｅは、図４Ａに示す表示装置を応用した対話型システムの操作方法の連続操作概略図である。図５Ａから図５Ｅを同時に参考されたい。まず、電子装置はアプリケーションを起動すると同時に、操作インタフェースで操作するためのメニューを表示する。メニューはユーザに、例えば、シングルプレイヤーモード、マルチプレイヤーモード、または時計モード（図５Ａの如く）などのモードを選択させることができ、且つ次のメニューでゲームモード、またはゲームを開始する（即ち、対話型システムを実行し始める）オプション（図５Ｂの如く）を選択させることができる。
【００５７】
ここで説明すべきことは、本実施例の表示装置２ａは、表示面２０を介して時間を表示することで、時計として使用することができる。時計モードの詳細は後で説明するため、ここでは重複して述べない。
【００５８】
図１、図５Ｃと図５Ｄを参照されたい。対話型システムを実行し始める時、脳波検出装置１はユーザの脳波情報を測定し、且つ測定された脳波情報に基づいて、集中力関連信号を送信する。脳波検出装置１は継続的、または特定の時間間隔を置いて測定を行う。本実施例において、表示装置２ａは、電子装置３を経由して脳波検出装置１から送信された集中力関連信号を受信し、電子装置３はこの集中力関連信号を表示装置２ａに送信する。しかし、本発明は、これに制限されず、実際に応用する時、表示装置２ａは脳波検出装置１から送信された集中力関連信号を直接受信することができる。
【００５９】
表示装置２ａは集中力関連信号に基づいて、少なくとも１つのパターンの表示時間の長さを決定する。詳しく言えば、表示装置２ａが、ユーザの集中力を表す集中力関連信号を受信した時、ユーザの集中力が高ければ高いほど、パターン２１１（図５Ｅ参照）の表示時間は長くなる。つまり、各パターン２１１の表示時間が長ければ長いほど、パターン２１１の表示内容はユーザにとって視認しやすくなる。
【００６０】
上記より、脳波の検出と同時に、ユーザは表示装置２ａに表示されるパターンを見ることができ、表示装置２ａに表示されるパターン２１１（例えば、スコア）はユーザが選択しようとするパターン（例えば、スコアが比較的高い時）である場合、ユーザは電子装置３の操作インタフェースの所定エリアに対して所定操作を行うことができる。所定エリアは、例えば、図５Ｃに示すシュート（SHOOT）オプション３２の位置であり、ユーザがこの所定エリアを押した（タッチした）時、電子装置３は実行信号を表示装置２ａまで送信することができる。表示装置２ａがこの実行信号を受信した後、表示装置２ａは前記実行信号に基づいて、第１対話結果および/または第２対話結果を表示することができる。
【００６１】
具体的には、第１対話結果は、表示装置２ａがこの実行信号を受信する時、第１表示エリア２１が対応して表示したパターン２１１（本実施例のパターン２１１はダーツ盤のスコアである）である。つまり、この時の第１対話結果は即ち、前記スコアであり、第２対話結果は表示装置２ａが実行信号を受信する時、第２表示エリア２２が対応して表示した発光ユニット２２１の状態である。発光ユニット２２１の状態は、点灯された発光ユニット２２１の数、及び点灯された発光ユニット２２１の分布面積を指す。本実施例において、ユーザの集中力が高ければ高いほど、点灯される発光ユニット２２１の数は多くなり、または点灯された発光ユニット２２１の分布面積が大きくなる（図５Ｃの如く）。逆に、ユーザの集中力が低いければ低いほど、点灯される発光ユニット２２１の数は少なくなり、または点灯された発光ユニット２２１の分布面積は小さくなる（図５Ｄの如く）。本実施例の第２表示エリア２２では、複数の発光ユニット２２１を環状のグループに分けている。第２表示エリア２２で表示し、且つユーザの集中力が高い状態と低い状態の間で転換する時、ユーザは、これらの発光ユニット２２１が複数の環状形式によって点灯、または点滅するのを見ることができる。しかしながら、本発明は、ここでは第２対話結果の表示メカニズムを制限せず、ユーザは実際のニーズ、またはプロセスに応じてこれを調整することができる。
【００６２】
上記より、ユーザの集中力が比較的高い時、表示装置２ａは図５Ｃに示すようなパターンを表示し、この時、表示装置２ａが有する第１表示エリア２１は表示時間が比較的に長いパターン２１１を備え、且つ表示装置２ａが有する第２表示エリア２２において、点灯された発光ユニット２２１の数量は比較的多い。逆に、図５Ｄに示すように、ユーザの集中力が比較的低い時、第１表示エリア２１のパターン２１１の表示時間は相対的に短く（つまり、２つのパターン２１１の切替速度が比較的速い）、且つ第２表示エリア２２において点灯された発光ユニット２２１の数量は相対的に少なくなる。
【００６３】
第１対話結果と第２対話結果の評点付けを通して、パターン２１１が累積したスコア及び第２対話結果が判別した集中力レベルをそれぞれ取得することができる。対話型システムの操作モードが終了すると、電子装置３の表示インタフェース３１は、図５Ｅに示された結果を表示することができる。
【００６４】
しかしながら、本発明の電子装置と合わせて使用した対話型システムの操作方式は上記方式のみに限らない。その他の実施例については、図６を参照されたい。図６は図４Ａに示す対話型システムを電子装置と合わせて使用した場合の概略図である。ここにおいて、ユーザは電子装置３を振ることによって、実行信号を送信することができる。つまり、ユーザが電子装置３に対する所定操作を電子装置３を振ることと定義することによって、ユーザはダーツを投げるような方法でインタラクションを実現し、対話型システムのエンターテインメント性を高めることができる。
【００６５】
本実施例において、ユーザのインタラクション時の臨場感を高めるために、表示装置２の第２表示エリア２２は複数のセンサーを有し（図示せず）、表示装置は集中力関連信号に基づいて、作動させるセンサーの数を決定する。本発明は、ここにおいて、センサーの設置位置を限定しないが、センサーのより好ましい設置位置は、第２表示エリア２２の範囲内（本実施例において、センサーの設置位置は第１表示エリア２１に対して、比較的表示装置２ａの中心に近い）である。
【００６６】
また、所定操作が前記電子装置３を振ることである場合、ユーザと第２表示エリア２２における発光ユニット２２１の発光数／発光面積との関係は、ユーザの集中力が高いほど、第２表示エリア２２の発光ユニット２２１の発光数は多くなり、及び/又は発光の発光ユニット２２１の分布面積は広くなる。よって、この時、ユーザは表示装置２ａの標的を狙いやすく、表示装置２ａのセンサーに向け精確にダーツを投げることができる。
【００６７】
本発明は、表示装置及び脳波検出装置を更に提供し、表示装置は脳波検出装置と合わせて使用し、脳波検出装置は電子装置及び表示装置と合わせて使用することができる。ここでの表示装置及び脳波検出装置の構造、特徴と実施方法は、実質的に、上記実施例の対話型システムＳ及びこれと合わせて使用する電子装置３と同一であると同時に、すでに詳細は上述の通りであるため、ここで繰り返して述べない。
【実施例３】
【００６８】
本発明は、時計として使用する表示装置２ｂを更に提供する。図７を参照されたい。図７は本発明の一実施例における時計として応用された表示装置が第１モードにある場合の外観図である。表示装置２ｂの詳細は、実質的に上記実施例の表示装置２、２ａと同一であるため、以下では表示装置２ｂを時計として応用する時の構造的特徴のみを説明する。
【００６９】
本実施例の表示装置２ｂは、本体Ｂを有し、且つ本体Ｂは表示面２０ｂを有する。本実施例において、表示面２０ｂは本体Ｂの第１表面Ｓ１に設置され、第１表面Ｓ１（図面に表示していないが、図９、１０を参照できる）と相対する別の一面には第２表面Ｓ２を有する。注意すべきことは、ここでの説明は本発明の技術的特徴を理解させるために過ぎず、本発明を限定するものではない。
【００７０】
本実施例の表示装置２ｂの表示面２０ｂは分針表示エリア２１ｂと時針表示エリア２２ｂを有する（即ち、前記実施例の第１表示エリアと第２表示エリアである）。更に、時針表示エリア２２ｂは表示面２０ｂの中央エリアに位置し、分針表示エリア２１ｂは時針表示エリア２２ｂの周りに設置される。つまり、本実施例の分針表示エリア２１ｂは本体Ｂの周縁に位置し、且つ時針表示エリア２２ｂと分針表示エリア２１ｂは重ならない。特に説明すべきことは、本実施例の時針表示エリア２２ｂと分針表示エリア２１ｂの位置関係は本発明を限定するものでないため、その他の実施態様において、分針表示エリア２１ｂと時針表示エリア２２ｂの位置を互いに換えても同様の効果を得ることができる。
【００７１】
時針表示エリア２２ｂは時針情報ＨＲを表示し、分針表示エリア２１ｂは分針情報ＭＩＮを表示する。例えば、時刻が１２時２５分である場合、時針表示エリア２２ｂは１２時から１時の間の方向に時針パターンを表示して時針情報ＨＲとし、且つ分針表示エリア２１ｂは５時の方向に分針パターンを表示して分針情報ＭＩＮとする。本実施例における時間情報を標示する形式は従来の標示形式とは同一であるが、これに限定されない。その他の実施例において、時針情報ＨＲと分針情報ＭＩＮは数字の形式で表示することができ、例えば、時刻が１２時２５分である場合、時針表示エリア２２ｂは１２時の方向に数字１２を表示し、分針表示エリア２１ｂは５時の方向に数字２５を表示する。
【００７２】
図７を再度参照されたい。本実施例の分針表示エリア２１ｂは複数の発光ユニット２１１ｂを有し、分針情報ＭＩＮを表示するために用いられる。同様に、時針表示エリア２２ｂは複数の発光ユニット２２１ｂを有し、時針情報ＨＲを表示するために用いられる。実際の応用時、これらの発光ユニット２１１ｂ、２２１ｂは順に点灯され、時針情報ＨＲと分針情報ＭＩＮを形成する。例えば、図７において、仮に、時計が１２時２５分の時間を表示する場合、時針表示エリア２２ｂにおいて、１２時から１時の間の少なくとも一部の発光ユニット２２１ｂが点灯され、且つ分針表示エリア２１ｂにおいて、５時を指した方向の少なくとも一部の発光ユニット２１１ｂが点灯される。次に、１２時２６分の時、それまで点灯されていた元の発光ユニット２１１ｂは消灯され、これと隣接する別の部分の発光ユニット２１１ｂが点灯される。その他の時刻変化についても、これに準じて実行する。よって、ユーザは、点灯される画素に基づいて、現在の時間を知ることができる。
【００７３】
また、本実施例の表示装置２ｂはスイッチ２３を有する。スイッチ２３は本体Ｂの中心位置、周縁、または第２表面Ｓ２に設置され、本実施例では本体Ｂの中心位置に設置されるのを例とするが、これに限定されない。スイッチ２３は、例えば、ボタン、またはノブであり、このスイッチ２３ｂはプッシュ、または回転位置に応じて、表示装置２ｂの電気回路を導通するかどうかを決め、更に表示装置２ｂをオンとすることによって、時針情報と分針情報を表示する。
【実施例４】
【００７４】
次に、特に、図８から図９を参照されたい。図８は本発明の他の実施例における時計として応用された表示装置が第１モードにある場合の外観図である。図９は本発明の図８に示した実施例の表示装置のＡ−Ａ線に沿った断面図である。
【００７５】
本実施例の表示装置２ｃは、同様に本体Ｂ１を備え、且つ本体Ｂ１は表示面２０ｃを有する。表示面２０ｃは時針情報ＨＲと分針情報ＭＩＮを表示するために用いられる。前記実施例と異なる所は、本実施例の本体Ｂ１は更に、秒針表示エリア２４ｃを有し、秒針情報ＳＥＣの表示に用いられる。秒針表示エリア２４ｃは本体Ｂ１の周縁の側壁に設置され、且つ秒針表示エリア２４ｃには複数の発光素子Ｌを設置し、これらの発光素子Ｌは順に点灯され、本体Ｂ１の周縁に向け光線を発射し、秒針情報ＳＥＣを表示する。また、本実施例の複数の発光素子Ｌは６０秒ごとの周期で（秒針情報に合わせるため）点灯される。発光素子Ｌはそれぞれ発光ダイオード素子である。
【００７６】
秒針表示エリア２４ｃは本体Ｂ１の第２表面Ｓ２に設置され、且つ第２表面Ｓ２と第１表面Ｓ１は対向して設置される。秒針表示エリア２４ｃは複数の発光素子Ｌを有し、これらの発光素子Ｌは順に点灯され、本体Ｂ１の周縁に向け光線を発射し、秒針情報ＳＥＣを表示する。
【００７７】
図９は、図８に示した本発明の一実施例の表示装置のＡ−Ａ線に沿った断面図である。図８と図９を同時に参照されたい。本実施例において、発光素子Ｌは本体Ｂ１の周縁に設置される。発光素子Ｌが順に点灯された時、表示装置２ｃの周縁に向け光線を発射し、発射した光束をユーザに見させることで、秒針情報ＳＥＣを形成する。
【００７８】
最後に、図１０を参照されたい。図１０は本発明の別の実施例の表示装置の、図８に示したのと同様のＡ−Ａ線に沿った断面図である。図８と図１０を同時に参照されたい。その他の実施例において、発光素子Ｌは本体Ｂ１の第２表面Ｓ２に配置することができ、且つ第２表面Ｓ２と第１表面Ｓ１は対向して設置される。この時、秒針表示エリア２４ｃに設置した発光素子Ｌは順に点灯され、本体Ｂ１の周縁に向け光線を投射して秒針情報ＳＥＣを形成し、図９と同様の時計を形成する。本実施例において、発光素子Ｌは本体Ｂ１の第２表面Ｓ２に配置することによって、本実施例において発光素子Ｌを配置した時に、本体Ｂ１の周縁の厚さが増加することはない。
【００７９】
上述をまとめると、本発明の対話型システム、及びその表示装置と脳波検出装置において、脳波検出装置は、ユーザの脳波情報を測定し、且つ脳波情報に基づいて、集中力関連信号を送信する。表示装置は、複数のパターンを表示できる第１表示エリアを有するため、集中力関連信号を受信することによって、集中力関連信号の内容を利用して、パターンの表示時間の長さを決定することができる。これによって、ユーザはその集中力レベルに基づいて、これらのパターンの表示時間の長さを決定することができ、且つ対話型システムをユーザの脳波情報と対話できるようなゲームシステムとすることが可能である。
【００８０】
本発明は時計として応用する表示装置を更に提供することができ、その本体の表示面は時針表示エリアと分針表示エリアに分けられる。時針表示エリアと分針表示エリアはそれぞれ時針情報と分針情報を表示する。このような配置を通して、本発明は簡潔かつ時間情報を読みやすくした時計を提供することができる。
【００８１】
上記実施例は例示的なものであって、限定するためのものではない。本発明の技術的思想および範囲から逸脱することなく行われる等価の修正または変更は、いずれも別紙の特許請求の範囲に含まれる。
【産業上の利用可能性】
【００８２】
本発明は以上の如く構成したため、検出された脳波情報に基づいて、集中力関連信号を送信することで、関連する技術分野に応用できる対話型システム及びその表示装置と脳波検出装置を提供し得るものである。本発明は更に時計として応用できる表示装置を提供し得るものである。
【符号の説明】
【００８３】
１      脳波検出装置
１１    検出電極
２、２ａ、２ｂ、２ｃ  表示装置
２０、２０ｂ、２０ｃ  表示面
２１    第１表示エリア
２１ｂ  分針表示エリア
２２ｂ  時針表示エリア
２１１  パターン
２２    第２表示エリア
２２１、２１１ｂ、２２１ｂ  発光ユニット
２３    スイッチ
２４ｃ  秒針表示エリア
３      電子裝置
３１    表示インタフェース
３２    オプション
Ｂ、Ｂ１  本体
ＨＲ    時針情報
Ｌ      発光素子
ＭＩＮ  分針情報
Ｓ      対話型システム
Ｓ１    第１表面
Ｓ２    第２表面
ＳＥＣ  秒針情報
【図１】
2016168318.tif 000003
【図２】
2016168318.tif 000004
【図３】
2016168318.tif 000005
【図５Ａ】
2016168318.tif 000006
【図５Ｂ】
2016168318.tif 000007
【図５Ｅ】
2016168318.tif 000008
【図６】
2016168318.tif 000009
【図７】
2016168318.tif 000010
【図４Ａ】
2016168318.tif 000011
【図４Ｂ】
2016168318.tif 000012
【図５Ｃ】
2016168318.tif 000013
【図５Ｄ】
2016168318.tif 000014
【図８】
2016168318.tif 000015
【図９】
2016168318.tif 000016
【図１０】
2016168318.tif 000017